(57)【特許請求の範囲】
【請求項１】
静止画像を撮像するために被写体像からの光束を受光する面受光型の第１の半導体撮像素子と、
前記被写体像からの光束を受光する、前記第１の半導体撮像素子より受光素子数の少ない面受光型の第２の半導体撮像素子と、
前記第２の半導体撮像素子からの出力を動画像として表示するための動画処理手段と、
前記被写体像からの光束を前記第１または第２の半導体撮像素子に合焦させるための合焦手段と、
前記第２の半導体撮像素子からの出力に基づき、前記合焦手段を制御する合焦制御手段と、
を具備し、
前記合焦制御手段は、静止画像撮像の非要求時には前記被写体像からの光束を前記第２の半導体撮像素子に合焦させ、かつ、静止画像撮像の要求時には前記被写体像からの光束を前記第１の半導体撮像素子に合焦させるべく前記合焦手段を制御する
ことを特徴とする電子カメラ。
【請求項２】
前記合焦制御手段は、前記被写体像からの光束を合焦させるための第１の合焦アルゴリズムとこの第１の合焦アルゴリズムよりも高速に合焦させるための第２の合焦アルゴリズムとを有し、静止画像撮像の要求時には前記第２の合焦アルゴリズムを用い、静止画像撮像の非要求時には前記第１の合焦アルゴリズムを用いることを特徴とする請求項１記載の電子カメラ。
【請求項３】
前記第１の半導体撮像素子と前記第２の半導体撮像素子との間に生じる合焦条件の相違を補正するための補正係数を格納する補正係数格納手段を具備し、
前記合焦制御手段は、静止画像撮像の要求時には、前記補正係数格納手段に格納された補正係数により前記第２の半導体撮像素子からの出力を補正して前記被写体像からの光束を前記第１の半導体撮像素子に合焦させるべく前記合焦手段を制御する
ことを特徴とする請求項１記載の電子カメラ。
【請求項４】
前記合焦制御手段は、静止画像撮像時の露光期間中は前記合焦手段の動作を停止させることを特徴とする請求項１記載の電子カメラ。
【請求項５】
前記合焦制御手段は、前記第２の半導体撮像素子からの出力がある場合、静止画像撮像時の露光期間中を除き、前記第１の半導体撮像素子に合焦させるべく前記合焦手段を制御することを特徴とする請求項１記載の電子カメラ。
【請求項６】
前記合焦制御手段は、静止画像撮像の要求が連続してなされる場合に、その連続した静止画像撮像中は前記合焦手段の動作を停止させることを特徴とする請求項５記載の電子カメラ。
【発明の詳細な説明】
【０００１】
【発明の属する技術分野】
この発明は、受光素子数の異なる２つの半導体撮像素子を備えることにより、高画素数の半導体撮像素子を適用する場合であっても、高い応答性を保持しながら静止画像および動画像双方の撮像ならびにファインダ表示を可能とする電子カメラに関する。
【０００２】
【従来の技術】
近年、被写体像を撮像光学系により半導体撮像素子、たとえばＣＣＤ二次元イメージセンサ上に結像して電気信号に変換し、これにより得られた静止画像または動画像の画像データを半導体メモリや磁気ディスクのような記録媒体に記録する、いわゆる電子カメラが広く普及しつつある。
【０００３】
また、最近の半導体技術の向上により、この電子カメラに用いられる半導体撮像素子の画素数が日々大きくなってきている。従来、動画像用としては３０〜４０万画素程度、静止画用としては１００〜２００万画素程度のＣＣＤが用いられていたが、現在では静止画用では２００万画素を越えている。
【０００４】
【発明が解決しようとする課題】
しかしながら、このＣＣＤの画素数の増加に伴なって、ＣＣＤからのデータ読み出しに時間がかかるという問題が生じてきている。また、画素数の増加に伴なう情報量の増加により、読み出し後の処理にも時間がかかることになる。
【０００５】
また、最近の電子カメラでは、ＣＣＤからの出力は、静止画像として記録されるのみならず、自動合焦制御（ＡＦ）、自動露光制御（ＡＥ）等の撮影条件の制御にも用いられている。したがって、ＣＣＤ読み出しや読み出し後の処理に時間がかかるのでは、撮影条件等に関する設定制御の応答も悪くなる。
【０００６】
さらに、最近の電子スチルカメラでは、静止画撮影のみならず、動画撮影も可能とした機種が登場したり、ＣＣＤ出力をファインダに表示させ、エレクトロビューファインダ（ＥＶＦ）として使用する傾向にある。しかしながら、高画素数のＣＣＤを用いたのでは、データ読み出しに時間がかかり、一般的な動画表示速度である３０フレーム／ｓｅｃを確保するのは困難である。
【０００７】
この発明は、このような事情を考慮してなされたものであり、受光素子数の異なる２つの半導体撮像素子を備えることにより、高画素数の半導体撮像素子を適用する場合であっても、高い応答性を保持しながら静止画像および動画像双方の撮像ならびにファインダ表示を可能とする電子カメラを提供することを目的とする。
【０００８】
【課題を解決するための手段】
前述した目的を達成するために、この発明の電子カメラは、静止画像を撮像するために被写体像からの光束を受光する面受光型の第１の半導体撮像素子と、前記被写体像からの光束を受光する、前記第１の半導体撮像素子より受光素子数の少ない面受光型の第２の半導体撮像素子と、前記第２の半導体撮像素子からの出力を動画像として表示するための動画処理手段と、前記被写体像からの光束を前記第１または第２の半導体撮像素子に合焦させるための合焦手段と、前記第２の半導体撮像素子からの出力に基づき、前記合焦手段を制御する合焦制御手段とを具備し、前記合焦制御手段は、静止画像撮像の非要求時には前記被写体像からの光束を前記第２の半導体撮像素子に合焦させ、かつ、静止画像撮像の要求時には前記被写体像からの光束を前記第１の半導体撮像素子に合焦させるべく前記合焦手段を制御することを特徴とする。
【０００９】
この発明の電子カメラにおいては、別途設けた画素数の少ない半導体撮像素子からの出力を用いて動画像の記録やファインダ表示を行なうために、半導体撮像素子の高画素化に伴なって発生する、データ読み出しに時間がかかって、一般的な動画表示速度を確保できないといった種々の問題を効率的に対処することが可能となる。特に２つの半導体撮像素子を設ける場合、製造上の問題からこれらの焦点を寸分の狂いなく一致させることは極めて困難である。したがって、合焦制御は２つの半導体撮像素子のいずれか一方に対して行なわざるを得ない。そこで、この発明の電子カメラにおいては、通常時は画素数の少ない半導体撮像素子に光束を合焦させ、静止画像の撮像時にのみ高画素数の半導体撮像素子に光束を合焦させることにより、より効率的な合焦制御を実現する。
【００１４】
また、この発明の電子カメラは、前記合焦制御手段が、前記被写体像からの光束を合焦させるための第１の合焦アルゴリズムとこの第１の合焦アルゴリズムよりも高速に合焦させるための第２の合焦アルゴリズムとを有し、静止画像撮像の要求時には前記第２の合焦アルゴリズムを用い、静止画像撮像の非要求時には前記第１の合焦アルゴリズムを用いることが好ましい。
【００１５】
一般に、動画像撮像用の合焦アルゴリズムは、画像の急激な焦点変化を防止するためにゆっくりとレンズが動くように制御され、一方、静止画像撮像用の合焦アルゴリズムは、瞬時の合焦を可能とするためにレンズが高速に動くように制御される。そこで、この発明の電子カメラでは、この２つの合焦アルゴリズムを使い分けることにより、動画像および静止画像のいずれの撮像においても最適な合焦を実現する。
【００１６】
また、この発明の電子カメラは、前記第１の半導体撮像素子と前記第２の半導体撮像素子との間に生じる合焦条件の相違を補正するための補正係数を格納する補正係数格納手段を具備し、前記合焦制御手段が、静止画像撮像の要求時には、前記補正係数格納手段に格納された補正係数により前記第２の半導体撮像素子からの出力を補正して前記被写体像からの光束を前記第１の半導体撮像素子に合焦させるべく前記合焦手段を制御することが好ましい。
【００１７】
２つの半導体撮像素子を設ける場合、その設定位置の微妙なずれによる合焦条件の相違などが発生する。そこで、この発明の電子カメラでは、予めこの相違を補正係数として記録しておき、この補正係数を用いて合焦条件を決定することにより、より正確な合焦条件設定を可能とする。
【００１８】
また、この発明の電子カメラは、前記合焦制御手段が、静止画像撮像時の露光期間中は前記合焦手段の動作を停止させることが好ましい。
【００１９】
静止画像の撮像中にレンズが動いたのでは、高精度な撮像は不可能である。そこで、この発明の電子カメラでは、静止画像撮像時の露光期間中はレンズを固定することにより、高精度な撮像を保障する。
【００２０】
また、この発明の電子カメラは、前記合焦制御手段が、前記第２の半導体撮像素子からの出力がある場合、静止画像撮像時の露光期間中を除き、前記第１の半導体撮像素子に合焦させるべく前記合焦手段を制御することが好ましい。
【００２１】
前述したように、露光期間中にレンズを動かすと、高精度な撮像を不可能となるが、逆に、露光さえ終われば、画素数の少ない半導体撮像素子による合焦制御を継続しても問題はない。より具体的には、ＣＣＤのような半導体撮像素子において、一般に電子シャッタが設けられているので、露光さえ終われば、高画素数の半導体撮像素子から読み出しを行なっている間も画素数の少ない半導体撮像素子による合焦制御の継続は可能であるからである。そこで、この発明の電子カメラは、この点を考慮し、たとえ被写体像が動いても、高画素数の半導体撮像素子からの出力が読み出された後、次の撮像が可能になっているときには、すでに合焦が終わった状態とする。
【００２２】
また、この発明の電子カメラは、前記合焦制御手段が、静止画像撮像の要求が連続してなされる場合に、その連続した静止画像撮像中は前記合焦手段の動作を停止させることが好ましい。
【００２３】
この発明の電子カメラにおいては、連続撮像時にはレンズを固定したいといったユーザからの要望をも満足させることができる。
【００２４】
【発明の実施の形態】
以下、図面を参照してこの発明の実施形態を説明する。
【００２５】
（第１実施形態）
まず、この発明の第１実施形態を説明する。
【００２６】
図１は、この発明の第１実施形態に係る電子カメラの構成図である。
【００２７】
この電子カメラでは、被写体像からの光束をレンズ系１１および絞り１２を経由させた後、分割部（ビームスプリッタ）１３により２つに分割し、一方を動画用ＣＣＤ（ｍＣＣＤ：３０万画素程度）１４に入射させ、他方をさらにシャッタ１５を経由させて静止画用ＣＣＤ（ｓＣＣＤ：２００万画素以上）１６に入射させる。また、このｓＣＣＤ１６からの読み出し時には、シャッタ１５は閉じられる。
【００２８】
そして、この電子カメラの最大の特徴は、画素数の異なる２つのＣＣＤ（動画用ＣＣＤ１４，静止画用ＣＣＤ１６）を設けた点にあり、以下、この点について詳述する。また、この２つのＣＣＤを設けるにあたり、分割部１３を設けることにより、レンズ系１１および絞り１２を共通部材とすることにより、精度面、スペース面およびコスト面での負担増加を最小限に抑止する。
【００２９】
ｓＣＣＤ１６の出力は、撮像回路１７（露光、読み出し、素子シャッタ制御、ｓＣＣＤ電力供給オンオフ等を実行）、Ａ／Ｄ変換器１８および静止画処理部１９（静止画情報への変換等（ガンマ等）を実行）を経てバッファメモリ２０に一旦格納される。そして、表示制御部２１により背面の液晶パネル２２から表示し、また、画像保存を行なうときには、圧縮伸長部２３によりＪＰＥＧ圧縮して光磁気ディスクドライブ２４に保存する。なお、光磁気ディスクドライブ２４からの出力は、この圧縮伸長部２３により伸長されてバッファメモリ２０に格納され、表示制御部２１により液晶パネル２２に表示される。
【００３０】
一方、ｍＣＣＤ１４の出力は、撮像回路２５（露光、読み出し、素子シャッタ制御等を実行）、Ａ／Ｄ変換器２６、動画処理部２７およびＶＲＡＭ（ビデオＲＡＭ）２８を経て、表示制御部２１により液晶パネル２２から表示される。前述した静止画の表示が、いわゆるＲＥＣビュー（記録画像の表示）であるのに対して、このｍＣＣＤ１４からの表示は、ＥＶＦ（エレクトロビューファインダ）としての表示となっている。すなわち、このｍＣＣＤ１４の出力は、第１に、ファインダ用として用いられる。これにより、ＣＣＤの素子数の増加に伴ない、データ読み出しに時間がかかって、一般的な動画表示速度を確保できないといった問題を解決する。なお、図１には示さないが、この電子カメラには、別途光学ファインダ（ＯＶＦ）が設けられる。
【００３１】
また、このｍＣＣＤ１４の出力は、Ａ／Ｄ変換器を経てシステムコントローラ２９に入力され、撮影条件の設定に用いられる。すなわち、このｍＣＣＤ１４の出力は、第２に、撮影条件設定用として用いられる。これにより、ＣＣＤの素子数の増加に伴ない、データ読み出しに時間がかかって、撮影条件等に関する設定制御の応答を悪くするといった問題を解決する。
【００３２】
システムコントローラ２９は、図１中の矢印（破線）で示すように、カメラ内の各部を制御する。また、システムコントローラ２９は、各種の操作ボタンからの各種操作入力を受け付ける。なお、この図１においては、システムコントローラ２９の制御対象のうち、ＡＥ（自動露出）制御を司るＡＥ制御部３０と、ＡＦ（自動合焦）制御を司るＡＦ制御部３１と、撮像回路１７によるｓＣＣＤ電源オンオフの制御を司るｓＣＣＤ電源オンオフ制御部３２とが示されている。
【００３３】
ＡＥ制御部３０は、ｍＣＣＤ１４からのＡ／Ｄ変換器２６の出力に基づき、絞り機構３３の絞り量を制御する。絞り機構３３は、ｍＣＣＤ１４とｓＣＣＤ１６の共通光学系に設けられるので、両ＣＣＤに対する自動露光調整が同時に行なわれることになる。
【００３４】
また、ＡＥ制御部３０は、静止画撮影を行なうときにのみ、静止画撮影用にＡＥ制御を行ない、通常は、動画撮影用にＡＥ制御を行なう。この動画像は常時ＥＶＦ出力されるからである。そして、ＡＥ制御部３０は、ｍＣＣＤ１４とｓＣＣＤ１６との感度や入射光量差等から生じる設定条件差を、補正データ格納部３４に格納された補正係数を用いて補正する。これにより、より正確な撮影条件設定を可能とする。
【００３５】
ＡＦ制御部３１は、撮影状態判定部３５にて連写設定ボタン５１、静止画レリーズボタン５２およびＡＥＡＦ合わせ位置操作ボタン５３からの設定入力を受け付ける。この撮影状態判定部３５は、これらの入力から判定して、動画ＡＦ処理部３６と、静止画ＡＦ処理部３７および動画ＡＦ補正部３８と、制御信号切替部３９とに対する切替制御を行ない、ＡＥＡＦ合わせ位置操作ボタン５３からの入力にしたがって、動画ＡＦ処理部３６および静止画ＡＦ処理部３７にＡＦ位置を設定させる。
【００３６】
連写設定ボタン５１からは、連写を行なうか否かや連写数、また、連写を行なう場合に、この連写中にＡＦ継続するか、ＡＦ固定するかを設定できる。
【００３７】
静止画レリーズボタン５２に軽く触れると、まず、１ｓｔレリーズ状態（第１段入力）となり、さらに同ボタンを押し込むと、２ｎｄレリーズ状態（第２段入力）となる。静止画レリーズボタン５２に指を触れたままであれば、１ｓｔレリーズ状態が維持される。また、２ｎｄレリーズ状態を継続させ、かつ、連写設定がされていれば、連写状態に移行する。
【００３８】
そして、撮影状態判定部３５は、この静止画レリーズボタン５２の状態に応じてＡＦ制御部３１内の各部を制御する。
【００３９】
動画ＡＦ処理部３６には、動画用ＡＦアルゴリズムが設けられ、ｍＣＣＤ１４からの出力に基づき、比較的ゆっくりとＡＦ機構４０にレンズ系１１を移動させるように制御する（コントラストＡＦ制御）。このため、ＥＶＦ表示は急激に合焦状態が変化することはなく、なめらかで、かつ、自然に合焦状態が変化するようになる。静止画レリーズボタン５２に指が触れていないときには、この動画ＡＦ処理部３６によってＡＦ機構４０が制御される。
【００４０】
静止画ＡＦ処理部３７には、静止画用ＡＦアルゴリズムが設けられる（コントラストＡＦ制御）とともに（図示せず）、動画ＡＦ補正部３８が設けられる。静止画用ＡＦアルゴリズムは、ｍＣＣＤ１４からの出力に基づき、比較的高速にＡＦ機構を合焦制御する。したがって、シャッタチャンスを逃すことのない、素早い合焦が行なわれる。また、ｍＣＣＤ１４からの出力を用いるので、ｓＣＣＤ１６側の状態に関係なく（たとえシャッタが閉じていても）、ＡＦ制御を継続することができる。
【００４１】
なお、これに限らず、静止画用ＡＦアルゴリズムにｓＣＣＤ１６からの出力を用いてもよい。この場合、ｍＣＣＤ１６からの出力を用いる場合のような素早い応答は得られないが、高画素数のＣＣＤが基準となるので、より正確な合焦が行なわれることになる。
【００４２】
また、静止画ＡＦアルゴリズム、動画ＡＦアルゴリズムともに、ｓＣＣＤ１６が露光中であるとき以外は、常にＡＦ動作を継続し、かつ、１ｓｔレリーズが押されてもいわゆるフォーカスロックは行なわないようになっている。
【００４３】
動画ＡＦ補正部３８は、１ｓｔレリーズ状態となったときに、補正データ格納部４１に格納された補正データ、より具体的には、ｓＣＣＤ１６とｍＣＣＤ１４とのずれ量を基準としてすばやく合焦対象をｍＣＣＤ１４からｓＣＣＤ１６に移行させるものである。このずれ量は、撮像素子自体の形状のばらつきや、撮像素子をカメラに組み付ける際に発生する。ずれ量は、組み付け後に、ｍＣＣＤ１４とｓＣＣＤ１６との焦点面の相対差を測定して、ＥＥＰＲＯＭ等を利用して記憶させる。相対差の測定は、ＡＦ機構部４０を専用装置で駆動させた際のｍＣＣＤ１４とｓＣＣＤ１６とのコントラスト最大値の差から求められる。なお、静止画ＡＦアルゴリズムもｍＣＣＤ１４からの出力を基準にｓＣＣＤ１６の合焦を行なうので、この補正データ格納部４１の補正データを用いる。動画ＡＦ補正部３８は、予め決まっているｍＣＣＤ１４とｓＣＣＤ１６との差分を使ってモード切替時（１ｓｔレリーズオン）に最初の補正を行なうものである。そして、その後の制御は、静止画ＡＦアルゴリズムに切り換えられる（静止画ＡＦアルゴリズムは、この補正分を考慮してコントラストＡＦ制御を行なう）。
【００４４】
また、ＡＦＡＥ制御に関し、この電子カメラでは、さらに、ＥＶＦ表示領域中においてＡＦ制御の対象とする位置、ＡＥ制御の対象とする位置を変更、設定できるようになっている。ｍＣＣＤ１４からの出力は、エリアについての情報であるので、表示領域中の任意の位置を設定して、自動焦合し、また、自動露光することができ、このＡＦ位置またはＡＥ位置は、ＡＥＡＦ合わせ位置操作ボタン（十字キー）５３によっていつでも設定できる（デフォルトは、中央部分または画面領域全体の平均）。ＡＦ制御部３１の動画ＡＦ処理部３６および静止画ＡＦ処理部３７と、ＡＥ制御部３０とは、指定された位置で合うように、ＡＦ制御およびＡＥ制御を行なう。この様子を図２に示す。
【００４５】
前述したように、１ｓｔレリーズ状態ではフォーカスロックは行なわないために、このＡＥＡＦ合わせ位置操作ボタン５３により、画面上の自由な位置をターゲットとしたＡＦＡＥ制御が実現できる。なお、図２では、ＡＥＡＦ位置マークをＡＥ制御とＡＦ制御とで兼用させているが、これは別々でもよい。さらに、後述する第２実施形態のように動画撮影を並行して行なう場合であっても、ＡＦＡＥ位置合せのために画面をずらすことを不要とする。
【００４６】
そして、ｓＣＣＤ電源オンオフ制御部３２は、１ｓｔレリーズオン状態になったときにｓＣＣＤ１６が電源オンとなり、１ｓｔレリーズオフ状態になったらｓＣＣＤ１６が電源オフとなるように撮像回路１７に指令する。撮像回路１７は、この指令に応じてｓＣＣＤ１６の電源オンオフを制御する。これにより、大きな節電効果が発揮され、ＣＣＤの素子数の増加に伴ない、消費電力も増大するといった問題を解決する。
【００４７】
ところで、このｓＣＣＤ電源オンオフ制御部３２によるｓＣＣＤ１６の電源オンオフ制御は、常時作動させてもよいが、たとえばＡＣアダプタなどにより外部電源からの電力供給を受けることができる場合には、この外部電源からの電力供給を受けている間、レリーズ状態に関わらず、ｓＣＣＤ１６を電源オンとしても構わない。また、内蔵するバッテリの電力のみで動作する時であっても、その残量が所定量以上である場合には、同様に、レリーズ状態に関わらず、ｓＣＣＤ１６を電源オンとしても構わない。
【００４８】
なお、記録系としては、コンパクトサイズの光磁気ディスク、磁気ディスク（フロッピィ、ＨＤＤ）、半導体メモリ（フラッシュメモリ）等が用いられる。
【００４９】
次に、図３に示すフローチャートを用いて、この第１実施形態の電子カメラの動作手順を説明する。なお、これらの動作の制御はシステムコントローラ２９によって行なわれる。
【００５０】
この電子カメラでは、まず、動画ＡＦ処理部３６によって、動作ＡＦアルゴリズムによるＡＦ制御を行なう（ステップＡ１）。次に、静止画レリーズボタン５２が１ｓｔレリーズオン状態になったどうかを調べ（ステップＡ２）、１ｓｔレリーズオン状態になっていれば（ステップＡ２のＹＥＳ）、ＳＣＣＤ電源オンオフ制御部３２によって、ＳＣＣＤ１６を電源オンにする（ステップＡ３）。そして、動画ＡＦ補正部３８によって、ＡＦレンズ位置補正処理を行ない（ステップＡ４）、静止画ＡＦ処理部３７によって行なわれる、静止画ＡＦアルゴリズムによるＡＦ制御へ移行する（ステップＡ５）。
【００５１】
ここで、静止画レリーズボタン５２が１ｓｔレリーズオン状態のままかどうかを調べ（ステップＡ６）、１ｓｔレリーズオフ状態になっていれば（ステップＡ６のＮＯ）、ＳＣＣＤ電源オンオフ制御部３２によって、ＳＣＣＤ１６を電源オフにする（ステップＡ７）。一方、１ｓｔレリーズオン状態のままであれば（ステップＡ６のＹＥＳ）、さらに、静止画レリーズボタン５２が２ｎｄレリーズオン状態になったかどうかを調べる（ステップＡ８）。
【００５２】
２ｎｄレリーズオン状態になっていれば（ステップＡ８のＹＥＳ）、静止画撮影を実行する（ステップＡ９）。このとき、連続撮影が設定されているかどうかを調べ（ステップＡ１０）、設定されていれば（ステップＡ１０のＹＥＳ）、さらに、連写時ＡＦ変更モードかどうかを調べる（ステップＡ１１）。そして、連写時ＡＦ変更モードであれば（ステップＡ１１のＹＥＳ）、静止画ＡＦアルゴリズムによるＡＦ制御を行ないつつ静止画連続撮影を行ない（ステップＡ１２）、一方、連写時ＡＦ変更モードでなければ（ステップＡ１１のＮＯ）、合焦を固定させたまま静止画連続撮影を行なう（ステップＡ１３）。
【００５３】
なお、この電子カメラでは、１ｓｔレリーズオン状態ではフォーカスロックをかけずに、少なくとも静止画ＡＦアルゴリズムによる制御への移行後は、静止画露光時以外、連写時ＡＦ変更モードでない通常の連写時を除いては、継続的にＡＦ制御が行なわれる。これにより、図２に示すように、ファインダを覗きながら自動焦合や自動露光位置を適宜指定することが可能となる。また、静止画露光中はＡＦレンズの移動を禁止することにより、静止画像の撮像に悪影響を与えることもない。
【００５４】
なお、この第１実施形態では、背面の液晶パネルにＥＶＦ出力をさせたが、光学ファインダに代えて覗き込み型のエレクトロビューファインダ（ＥＶＦ）を設け、ここにｍＣＣＤ１４からの出力をそのまま表示させるようにしてもよい。
【００５５】
（第２実施形態）
次に、この発明の第２実施形態を説明する。
【００５６】
図４は、この発明の第２実施形態に係る電子カメラの構成図である。
【００５７】
前述した第１実施形態の電子カメラでは、ｍＣＣＤ１４からの出力をＥＶＦ表示に用いていたのみであったが、この第２実施形態では、バッファメモリ４２と圧縮伸長部４３とを設けて、ｍＣＣＤ１４からの出力により動画記録を可能としたものである。このときの圧縮伸長方法は、たとえばモーションＪＰＥＧが用いられる。
【００５８】
また、これに伴ない、分割部１３とｍＣＣＤ１４との間にＮＤフィルタ４４を設け、両ＣＣＤにおける明るさを同程度とする。
【００５９】
システムコントローラ２９においても、静止画／動画切替制御が必要となるために、静止画／動画切替部４５が設けられ、新設される動画記録ボタン５４からの入力が受け付けられる。この動画記録ボタン５４のオンにより、動画撮影の記録が開始され、オフで動画撮影記録が中止される。これにより、動画撮影中であっても静止画撮影が可能となり、したがって、静止画／動画切替部４５は、静止画レリーズボタン５２からの入力も受け付けて、動画処理部２７、静止画処理部１９および圧縮伸長部２３，４３等に必要な指令を出す。
【００６０】
次に、図５に示すフローチャートを用いて、この第２実施形態の電子カメラの動作手順を説明する。なお、これらの動作の制御はシステムコントローラ２９によって行なわれる。
【００６１】
この電子カメラでは、まず、動画ＡＦ処理部３６によって、動作ＡＦアルゴリズムによるＡＦ制御を行なう（ステップＢ１）。次に、動画記録レリーズボタン５４がオン状態かどうかを調べ（ステップＢ２）、オン状態であれば（ステップＢ２のＹＥＳ）、動画撮影記録処理が行なわれる（ステップＢ３）。
【００６２】
また、これに続いて、静止画レリーズボタン５２が１ｓｔレリーズオン状態になったどうかを調べ（ステップＢ４）、１ｓｔレリーズオン状態になっていれば（ステップＢ４のＹＥＳ）、ＳＣＣＤ電源オンオフ制御部３２によって、ＳＣＣＤ１６を電源オンにする（ステップＢ５）。そして、動画ＡＦ補正部３８によって、ＡＦレンズ位置補正処理を行ない（ステップＢ６）、静止画ＡＦ処理部３７によって行なわれる、静止画ＡＦアルゴリズムによるＡＦ制御へ移行する（ステップＢ７）。
【００６３】
その後、まず、動画記録ボタン５４がオン状態のままかどうかを調べ（ステップＢ８）、オン状態のままであれば（ステップＢ８のＹＥＳ）、動画撮影記録処理を継続する（ステップＢ９）。そして、さらに、静止画レリーズボタン５２が１ｓｔレリーズオン状態のままかどうかを調べ（ステップＢ１０）、１ｓｔレリーズオフ状態になっていれば（ステップＢ１０のＮＯ）、ＳＣＣＤ電源オンオフ制御部３２によって、ＳＣＣＤ１６を電源オフにする（ステップＢ１１）。
【００６４】
一方、１ｓｔレリーズオン状態のままであれば（ステップＢ１０のＹＥＳ）、今度は静止画レリーズボタン５２が２ｎｄレリーズオン状態になったかどうかを調べ（ステップＢ１２）、２ｎｄレリーズオン状態になっていれば（ステップＢ１２のＹＥＳ）、静止画撮影を実行する（ステップＢ１３）。このとき、連続撮影が設定されているかどうかを調べ（ステップＢ１４）、設定されていれば（ステップＢ１４のＹＥＳ）、さらに、連写時ＡＦ変更モードかどうかを調べる（ステップＢ１５）。そして、連写時ＡＦ変更モードであれば（ステップＢ１５のＹＥＳ）、静止画ＡＦアルゴリズムによるＡＦ制御を行ないつつ静止画連続撮影を行ない（ステップＢ１６）、一方、連写時ＡＦ変更モードでなければ（ステップＢ１５のＮＯ）、合焦を固定させたまま静止画連続撮影を行なう（ステップＢ１７）。
【００６５】
このように、この電子カメラでは、ｍＣＣＤ１４からの出力により動画記録を可能とし、さらに、動画撮影中における静止画撮影を可能とする。
【００６６】
【発明の効果】
以上詳述したように、この発明によれば、静止画像を撮像するための高画素数の第１の半導体撮像素子とともに、この第１の半導体撮像素子よりも受光素子数の少ない第２の半導体撮像素子を設け、この受光素子数の少ない第２の半導体撮像素子を動画像の撮像用またはファインダ表示用とすることにより、高画素数の半導体撮像素子を適用する場合であっても、高い応答性を保持しながら静止画像および動画像双方の撮像ならびにファインダ表示を可能としたことから、半導体撮像素子の高画素化に伴なって発生する、データ読み出しに時間がかかって、一般的な動画表示速度を確保できないといった種々の問題を効率的に対処することが可能となる。
【００６７】
また、別途設けた画素数の少ない半導体撮像素子からの出力を用いて合焦制御を行なうために、半導体撮像素子の高画素化に伴なって発生する、合焦制御の応答の悪化等の種々の問題を効率的に対処することが可能となる。
【００６８】
また、通常時は画素数の少ない半導体撮像素子に光束を合焦させ、静止画像の撮像時にのみ高画素数の半導体撮像素子に光束を合焦させることにより、より効率的な合焦制御を実現する。
【００６９】
また、画像の急激な焦点変化を防止するためにゆっくりとレンズが動くように制御される動画像撮像用の合焦アルゴリズムと、行なわれる瞬時の合焦を可能とするためにレンズが高速に動くように制御される静止画像撮像用の合焦アルゴリズムとの２つの合焦アルゴリズムを使い分けることにより、動画像および静止画像のいずれの撮像においても最適な合焦を実現する。
【００７０】
また、２つの半導体撮像素子を設ける場合に発生する合焦条件の相違を予め補正係数として記録しておき、この補正係数を用いて合焦条件を決定することにより、より正確な合焦条件設定を可能とする。
【００７１】
また、静止画像撮像時の露光期間中はレンズを固定することにより、高精度な撮像を保障する。
【００７２】
また、静止画像撮像時の露光が終了し次第、画素数の少ない半導体撮像素子による合焦制御を継続することにより、たとえ被写体像が動いても、高画素数の半導体撮像素子からの出力が読み出された後、次の撮像が可能になっているときには、すでに合焦が終わった状態とする。
【図面の簡単な説明】
【図１】この発明の第１実施形態に係る電子カメラの構成図。
【図２】同第１実施形態の電子カメラが実現する、ＡＥＡＦ合わせ位置操作ボタンにより画面上の自由な位置をターゲットとしたＡＦＡＥ制御を説明するための図。
【図３】同第１実施形態の電子カメラの動作手順を説明するためのフローチャート。
【図４】同第２実施形態に係る電子カメラの構成図。
【図５】同第２実施形態の電子カメラの動作手順を説明するためのフローチャート。
【符号の説明】
１１…レンズ系
１２…絞り
１３…分割部（ビームスプリッタ）
１４…動画用ＣＣＤ（ｍＣＣＤ）
１５…シャッタ
１６…静止画用ＣＣＤ（ｓＣＣＤ）
１７…撮像回路
１８…Ａ／Ｄ変換器
１９…静止画処理部
２０…バッファメモリ
２１…表示制御部
２２…液晶パネル
２３…圧縮伸長部
２４…光磁気ディスクドライブ
２５…撮像回路
２６…Ａ／Ｄ変換器
２７…動画処理部
２８…ＶＲＡＭ（ビデオＲＡＭ）
２９…システムコントローラ
３０…ＡＥ制御部
３１…ＡＦ制御部３１
３２…ｓＣＣＤ電源オンオフ制御部
３３…絞り機構
３４…補正データ格納部
３５…撮影状態判定部
３６…動画ＡＦ処理部
３７…静止画ＡＦ処理部
３８…動画ＡＦ補正部
３９…制御信号切替部
４０…ＡＦ機構
４１…補正データ格納部
４２…バッファメモリ
４３…圧縮伸長部
４４…ＮＤフィルタ
４５…静止画／動画切替部
５１…連写設定ボタン
５２…静止画レリーズボタン
５３…ＡＥＡＦ合わせ位置操作ボタン
５４…動画記録ボタン
【図１】
0004302248.tif 000002
【図２】
0004302248.tif 000003
【図３】
0004302248.tif 000004
【図４】
0004302248.tif 000005
【図５】
0004302248.tif 000006